(57)【要約】【課題】持ち運びと開閉作業が簡単で、しかも置き場所を余り取らない省スペースの風呂蓋であって、風呂用枕にも兼用できる快適な風呂枕兼用の風呂蓋を提供する。【解決手段】本発明の風呂用枕兼用風呂蓋１０は、横断面が略台形等の複数の筒体１１が互いに平行に所定ピッチで浴槽の長手方向に連接されており、ロール状に巻き込みが可能な風呂蓋において、風呂蓋１０を浴槽１の縁２に掛け渡したときに風呂蓋１０が浴槽内に撓むのを防止する芯棒１１が複数の筒体１１の軸方向内部に装着されており、複数の筒体１１のうち少なくとも浴槽１との接触部の材質が、シリコンゴム製又はウレタンゴム製シート１４で形成されていることを特徴とする。【選択図】図１
2014083409.tif 000002
【特許請求の範囲】
【請求項１】
横断面が略台形、円形又は楕円形をした複数の筒体が互いに平行に所定ピッチで浴槽の長手方向（浴槽の幅方向）に連接されていることにより、ロール状に巻き込みが可能な風呂蓋において、
風呂蓋を浴槽の前後方向の縁に掛け渡したときに、風呂蓋が浴槽内に撓むのを防止するための芯棒が前記複数の筒体の軸方向の内部に装着されており、
前記複数の筒体のうち少なくとも前記浴槽との接触部の材質が、シリコンゴム又はウレタンゴムで形成されていることを特徴とする風呂用枕兼用風呂蓋。
【請求項２】
前記複数の筒体は、その内部に空気が注入されている袋状のものであることを特徴とする請求項１記載の風呂用枕兼用風呂蓋。
【請求項３】
浴槽上面との接触部の材質がシリコンゴム又はウレタンゴムで形成され、ロール状に巻き込みが可能な風呂蓋において、
風呂蓋を浴槽の前後方向の縁に掛け渡したときに、風呂蓋が浴槽内に撓むのを防止するための芯棒が浴槽の前後方向の内部に埋め込まれていることを特徴とする風呂用枕兼用風呂蓋。
【請求項４】
前記芯棒は、風呂蓋の前後方向に延びる直径が１〜３ミリ程度のステンレス製線材であることを特徴とする請求項３記載の風呂用枕兼用風呂蓋。
【発明の詳細な説明】
【技術分野】  本発明は、例えば一般家庭、マンション等の風呂で使用する風呂蓋に関し、詳しくはこの風呂蓋が風呂用枕にも兼用可能な風呂用枕兼用風呂蓋に関する。
【背景技術】  従来より、一般家庭、マンション等の個人用風呂においては、浴槽に入れた湯が冷めるのを防止するために必ずといって良いほど風呂蓋が使用されている。
このような風呂蓋としては、種々の形式のものがあるが、大別すると、図４（ａ）に示すように、外形が浴槽の平面形状をし、中央で左右に分離できるプレート形式の風呂蓋５０（例えば特許文献１）と、図４（ｂ）及び図４（ｃ）に示すように、使用後はロール状に巻き込みが可能なロール形式の風呂蓋６０（例えば特許文献２）とがある。
この場合、プレート形式の風呂蓋５０は、浴槽１の上部の縁表面２に密着するので保温性は良いが、浴室内に一定平面積の置き場所を必要とする。また、入浴者が入浴の度に持ち上げて移動しなければならず、入浴者が老人や子供の場合はその作業が負担になる。さらに、その持ち上げや移動の度に「バタン、バタン」と、浴槽又は浴室壁との接触音が発生し、場合によっては手を詰めたり落としたりする。したがって、特にお年寄りや子どもにとっては風呂蓋の開閉作業が面倒である。
この点、上記図４（ｃ）のロール形式の風呂蓋６０は、ロール状に巻き取った風呂蓋６０を浴槽１の縁表面２に置いた後は、縁表面２に沿って広げるか、又は使用後は図４（ｃ）のように巻き取れば済むので、上記プレート形式の風呂蓋５０よりは作業が幾分かは楽である。
しかし、このロール形式の風呂蓋６０においても、上記移動時の浴槽との接触音や、入浴者がお年寄りや子どもの場合は、たとえ風呂蓋といえどもその重さにより移動の面倒さが避けられない。
一方、図５に示すように、入浴者Ｐが入浴中は、余りにもの心地良さに入浴者Ｐは必ずといっていいほど浴槽内に足を伸ばし、頭をヘッドレスト３等の浴槽の縁上に置くが、従来の浴槽１の内側の角は、例外なく硬いものであり、しかも多少のＲ加工を施してはあるが殆どのものは直角であるので、浴槽の角又はヘッドレスト３に頭部や首筋を載せても余り快適なものではなかった。
そこで、従来技術の中には専用の風呂枕も存在した（例えば特許文献３、４）。
しかし、この風呂枕においても専用の置き場所が必要であり、入浴中でない場合は風呂枕が邪魔になるという問題があった。
【先行技術文献】
【特許文献１】特開２００８−１６１３９８号公報（図２）
【特許文献２】特開２００２−８５２７３号公報（図１、図２）
【特許文献３】特開平９−１４０６０９号公報（図１）
【特許文献４】実開平４−８３０８２号公報（第２図）
【発明の概要】
【発明が解決しようとする課題】  そこで、本発明は、上記従来技術の風呂蓋及び風呂用枕の欠点を解消し、持ち運びと浴槽上での開閉作業が簡単で、浴槽や壁との接触音が余りせず、しかも置き場所を余り取らない省スペースの風呂蓋であって、風呂用枕にも兼用できる快適な風呂枕兼用の風呂蓋を提供することを目的とする。
【課題を解決するための手段】  上記課題を達成するため、本発明の風呂用枕兼用風呂蓋は、横断面が略台形、円形又は楕円形をした複数の筒体が互いに平行に所定ピッチで浴槽の長手方向（浴槽の幅方向）に連接されていることにより、ロール状に巻き込みが可能な風呂蓋において、
風呂蓋を浴槽の前後方向の縁に掛け渡したときに、風呂蓋が浴槽内に撓むのを防止するための芯棒が前記複数の筒体の軸方向の内部に装着されており、前記複数の筒体のうち少なくとも前記浴槽との接触部の材質が、シリコンゴム又はウレタンゴムで形成されていることを特徴とする。
この場合、前記複数の筒体は、その内部に空気が封入されている袋状筒体にするのが好ましい。
また、複数の筒体を用いない別の風呂用枕兼用風呂蓋として、浴槽上面との接触部の材質がシリコンゴム又はウレタンゴムで形成され、ロール状に巻き込みが可能な風呂蓋において、風呂蓋を浴槽の前後方向の縁に掛け渡したときに、風呂蓋が浴槽内に撓むのを防止するための芯棒が浴槽の前後方向の内部に埋め込んだものでも良い。
上記芯棒としては、種々の材質のものを使用できるが、風呂蓋の前後方向に延びるステンレス製線材を用いるのが好ましい。
【発明の効果】  本発明の風呂用枕兼用風呂蓋は、少なくとも浴槽との接触面がシリコンゴム又はウレタンゴム製シートで一体に構成されているので、開閉時に風呂蓋が浴槽や浴室の壁に接触しても上記ゴムがクッションとなり、接触音が発生しない。また、シリコンゴム又はウレタンゴムは、ステンレス製浴槽やプラスチック製浴槽との摩擦係数が高いため、浴槽上面に密着し易く、浴槽表面からずれにくいという作用効果も有する。
また、ロール状に巻き上げたり拡げたりすることができるので、浴槽上面での開閉作業が簡単であり、持ち運びも便利で置き場所を余り取らない省スペースの風呂蓋となる。
更に、袋状筒体の内部に空気を注入して、風呂蓋として使用した場合には、軽量になってお年寄りや子供の持ち運びが楽になり、浴槽内の湯の保温効果も上がることになる。
一方、風呂蓋をロール状又は渦巻き状に巻き上げて風呂用枕とした場合は、入浴者の頭部を支持するクッションとなり、入浴者は内部の空気層により快適な気分になることができる。
また、ロール状又は渦巻き状に巻き上げた場合、層間で接触するシリコンゴム又はウレタンゴム製シートの粘着力により、枕が解けることがない。
【図面の簡単な説明】
【図１】図１（ａ）は、本発明の第１実施例に係る風呂用枕兼用風呂蓋１０を拡げた状態の全体斜視図、図１（ｂ）は、図１（ａ）の風呂蓋を巻き上げて風呂用枕兼用風呂蓋１０とした状態の側面図である。
【図２】本発明の第２実施例に係る風呂用枕兼用風呂蓋２０の説明図で、そのうち図２（ａ）は、その拡大斜視図、図２（ｂ）は、図２（ａ）の風呂蓋２０を入浴者Ｐが入浴用枕として使用中の説明図、図２（ｃ）は、図２（ｂ）の風呂蓋２０の中央横断面図である。
【図３】本発明の第３実施例に係る風呂用枕兼用風呂蓋３０の説明図で、そのうち図３（ａ）は、その全体斜視図、図３（ｂ）は、図３（ａ）の風呂蓋３０のＢ−Ｂ断面図である。
【図４】従来の風呂蓋５０、６０の斜視図で、図４（ａ）は、プレート式のもの、図４（ｂ）は、ロール式のもの、図４（ｃ）は、図４（ｂ）のロール式風呂蓋６０を巻き上げた状態の斜視図である。
【図５】従来の浴槽５０に入浴者Ｐが入浴中の説明図である。
【発明を実施するための形態】
以下、本発明の風呂用枕兼用風呂蓋の実施例を図面に基づいて説明する。
【実施例１】  図１は、本発明の第１実施例に係る風呂用枕兼用風呂蓋１０の全体斜視図である。
この図１に示すように、本発明の風呂用枕兼用風呂蓋１０は、横断面が略台形で内部が空洞になっている合成樹脂製のバー１１を、互いに平行に浴槽の長手方向（幅方向）に複数本、連ならせて接続したものである。
一本の合成樹脂製バー１１は、その底辺寸法が１０〜１５ｍｍで、両端部を台形状の薄い蓋１２で密封、接着することにより、内部に風呂水が侵入しないようになっている。
合成樹脂製バー１１を複数本、浴槽幅方向に連接したトータル幅Ｗは、浴槽幅よりも若干余裕を持った長さであり、前後方向の長さＬは、浴槽の前後方向の寸法よりも若干余裕を持った長さにしてある。この場合の合成樹脂製バー１１は、横断面が台形状であるから、風呂蓋を浴槽の前後方向の縁に掛け渡したときに風呂蓋が浴槽内に撓むのを防止する芯棒の役割をする。
この複数本の合成樹脂製バー１１の繋ぎ方（連接方法）としては、種々の方法があり、例えば合成樹脂製バー１１を連接した状態で射出成形し、その後、長さＬに定寸カットしても良い。
以上の構成の風呂蓋は、公知であるが、本発明の特徴は次の点にある。
すなわち、本実施例では、複数本の合成樹脂製バー１１の裏面に、その平面寸法Ｗ、Ｌと一致する寸法を有する厚さが２〜５ｍｍ程度のシリコンゴム製又はウレタンゴム製のシート１４が適当な接着剤で接着してある点である。つまり、この薄いゴム製シート１４が、複数本の合成樹脂製バー１１を連結又は接着する役割を果たすのである。
このシリコンゴム製シート１４の裏面、すなわち浴槽との接触面には、例えば浴槽１（図４）や、浴室壁４（図２（ｃ））の色に合った配色を施したり、子供がいる家庭であれば子供が喜ぶような玩具のカラー図を描いても良い。
かくして得られた本発明の風呂蓋１０の使い方は、湯沸し前に図の状態で浴槽の上に載置しておき、入浴に際しては、図の風呂蓋１０の右側又は左側を図１（ｂ）のように、浴槽１の右側又は左側にロール状又は渦巻き状に巻き上げるのである。
そして、入浴者Ｐは、この巻き上げた風呂蓋１０の上に自分の頭を乗せ（図２（ｂ））、風呂枕兼用の風呂蓋とするのである。
この風呂枕兼用の風呂蓋１０は、次の作用、効果を有する。
１．風呂蓋として使用した場合は、風呂蓋の裏面にシリコンゴム製又はウレタンゴム製のシート１４が貼り付けてあるので、浴槽１（図４（ａ））や浴室の壁４に接触してもこれらのゴムがクッションとなって、従来の「バタン、バタン」という接触音が発生しない。
２．風呂蓋１０の裏面には、厚さが２〜５ｍｍ程度のシリコンゴム製又はウレタンゴム製のシート１４を一体に貼り付けただけなので、持ち運びと浴槽上での開閉作業が簡単であり、しかも置き場所を取らない省スペースの風呂蓋となる。
３．風呂蓋１０をロール状に巻き上げて風呂用枕とした場合は、合成樹脂製バー間に介在するゴム製シート１４自体の粘着力と、巻き上げた合成樹脂製バー１１のエッジ１１ａ（図１（ｂ））がゴム製シート１４に食い込むので、風呂用枕が解けるのを防止する。したがって、図２（ｃ）のように入浴者Ｐが頭を風呂用枕の上に置いても風呂用枕としてのロール状形状を長時間維持することができる。
【実施例２】  図２は、本発明の第２実施例に係る風呂用枕兼用風呂蓋２０の説明図で、そのうち図２（ａ）は、その斜視図、図２（ｂ）は、図２（ａ）の風呂蓋２０を入浴者Ｐが入浴用枕として使用中の図、図２（ｃ）は、図２（ｂ）の風呂蓋２０の横断面図である。
図２（ａ）において、本実施例の風呂用枕兼用風呂蓋２０が前述の実施例１の風呂用枕兼用風呂蓋１０と異なる点は、次の点にある。
１．筒体である合成樹脂製バー２１（筒体）の表裏をシリコンゴム製とし、その横断面形状を袋状の略楕円形にしたこと。
２．各筒体２１の内部に空気Ａを封入し、筒体の両端部を密閉したこと。
３．筒体の両側部に合成樹脂製の帯片２２を介して隣接する筒体２１と連接させることにより、浴槽幅方向の幅Ｗ（図１（ａ））に一致させたこと。
この実施例２の風呂用枕兼用風呂蓋２０によれば、各筒体２１の内部に空気Ａを封入したので、浴槽１との接触により衝突音がしないことは勿論、軽量の風呂蓋が得られる。したがって、入浴者がお年寄りや子供でも持ち運びが便利である。
また、筒体内部の空気層により、浴槽内の湯に対する保温力が向上し、冬季でも浴槽内の湯が冷めにくい風呂蓋が得られる。
一方、ロール状に巻き上げて風呂用枕とした場合は、筒体内部の空気層により、さらにクッション効果が高まった風呂用枕２０が得られる。
なお、上記袋状筒体の横断面形状は、図２（ａ）では楕円形であるが入浴者の好みによって円形、三角形等の断面形状にしても良い。また、上記帯片２２は、風呂蓋２０を浴槽の前後方向の縁に掛け渡したときに風呂蓋が浴槽内に撓むのを防止するために、直径が０．５〜２ｍｍ程度のステンレス製芯棒２３を各帯片２２の内部に埋め込んでも良い。
【実施例３】  図３は、本発明の第３実施例に係る風呂用枕兼用風呂蓋３０の全体斜視図である。
図１に示すように、本発明の風呂用枕兼用風呂蓋１０は、横断面が略台形で内部が空洞になっている合成樹脂製のバー１１を、互いに平行に浴槽の長手方向に複数本、連ならせて接続したものである。
一本の合成樹脂製バー１１は、その底辺寸法が１０〜１５ｍｍで、両端部を蓋１２で密封することにより、内部に風呂水が侵入しないようになっている。
合成樹脂製バー１１を複数本、浴槽幅方向に連接したトータル幅Ｗは、浴槽幅よりも若干余裕を持った長さであり、前後方向の長さＬは、浴槽の前後方向の寸法よりも若干余裕を持った長さにしてある。この場合の合成樹脂製バー１１は、断面が台形状であるから、風呂蓋を浴槽の縁に掛け渡したときに風呂蓋が浴槽内に撓むのを防止する芯棒の役割をする。
複数本の合成樹脂製バー１１の繋ぎ方（連接方法）としては、種々の方法があり、例えば合成樹脂製バー１１を連接した状態で射出成形し、その後長さＬに定寸カットしても良い。
以上の構成の風呂蓋は、公知であるが、本発明の特徴は次の点にある。
本実施例では、複数本の合成樹脂製バー１１の裏面に、その平面寸法Ｗ、Ｌと一致する寸法を有する厚さが２〜５ｍｍ程度のシリコンゴム製又はウレタンゴム製のシート１４が適当な接着剤で接着してある点である。つまり、このゴム製シート１４が複数本の合成樹脂製バー１１を連結又は接着する役割を果たすのである。このシリコンゴム製シート１４の裏面、すなわち浴槽との接触面には、例えば浴槽１（図４）や浴室壁４（図２（ｃ））の色に合った配色を施したり、子供がいる家庭であれば子供が喜ぶような玩具のカラー図を描いても良い。
かくして得られた本発明の風呂蓋１０の使い方は、湯沸し前に図の状態で浴槽の上に載置しておき、入浴に際しては、図の風呂蓋１０の右側又は左側を図１（ｂ）のように、浴槽１の右側又は左側に巻き上げるのである。
そして、入浴者Ｐは、この巻き上げた風呂蓋１０の上に自分の頭を乗せ（図２（ｂ））、風呂枕兼用の風呂蓋とするのである。
この風呂枕兼用の風呂蓋１０は、次の作用、効果を有する。
１．風呂蓋として使用した場合は、風呂蓋の裏面にシリコンゴム製又はウレタンゴム製のシート１４が貼り付けてあるので、浴槽１や浴室の壁４に接触してもこれらのゴムがクッションとなって、従来の「バタン、バタン」という接触音が発生しない。
２．風呂蓋１０の裏面には、厚さが２〜５ｍｍ程度のシリコンゴム製又はウレタンゴム製のシート１４を一体に貼り付けただけなので、持ち運びと浴槽上での開閉作業が簡単であり、しかも置き場所を取らない省スペースの風呂蓋となる。
３．風呂蓋１０をロール状に巻き上げて風呂用枕とした場合は、合成樹脂製バー間に介在するゴム製シート１４自体の粘着力と、巻き上げた合成樹脂製バー１１のエッジ１１ａがゴム製シート１４食い込むので、風呂用枕が解けるのを防止する。したがって、図２（ｃ）のように入浴者Ｐが頭を風呂用枕の上に置いても風呂用枕としてのロール状形状を長時間維持することができる。
【実施例３】  図３は、本発明の第３実施例に係る風呂用枕兼用風呂蓋３０の説明図で、そのうち図３（ａ）は、その全体斜視図、図３（ｂ）は、図３（ａ）の風呂蓋３０のＢ−Ｂ断面図である。
図３（ａ）及び図３（ｂ）において、本実施例の風呂用枕兼用風呂蓋図３０が前述の実施例１、２の風呂用枕兼用風呂蓋１０、２０と異なる点は、次の点にある。
１．風呂蓋３０の全体構成として、実施例１、２の複数の筒体１１、２１を用いず、厚さが１０ミリ程度までのシリコンゴム又はウレタンゴムから成るゴム板製風呂蓋３１としたこと。
２．風呂蓋３０を浴槽の前後方向の縁に掛け渡したときに、風呂蓋３０が浴槽内に撓むのを防止するために、例えば直径が１〜３ミリ程度のステンレス製線材３２を内部に一定間隔で埋め込んだこと。
この実施例３の風呂用枕兼用風呂蓋３０によっても、実施例１、２の風呂用枕兼用風呂蓋１０、２０と同様の作用効果が得られる。
以上に説明した本発明に係る風呂用枕兼用風呂蓋は、前述した３つの実施例のものに限定されないことは勿論であり、特許請求の範囲に記載された範囲内で種々の変形、組み合わせが可能であり、これらの変形、組み合わせ例も本発明の範囲に含まれる。
【符号の説明】  １・・・浴槽
２・・・縁表面
３・・・ヘッドレスト
４・・・浴室壁
１１・・・合成樹脂製バー
１４・・・シリコンゴム製又はウレタンゴム製シート
２３、３２・・・芯棒
３１・・・ゴム板製風呂蓋
１０、２０、３０・・・風呂用枕兼用風呂蓋（本発明）
Ｐ・・・入浴者
【図１】
2014083409.tif 000003
【図２】
2014083409.tif 000004
【図３】
2014083409.tif 000005
【図４】
2014083409.tif 000006
【図５】
2014083409.tif 000007